(57)【要約】【課題】二次転写後に用紙を中間転写ベルトから引き離す紙分離において、様々な紙種の用紙に対して紙分離性の向上と画像不良の抑制とを両立させる。【解決手段】電子写真方式の画像形成に利用される高圧電源基板を備え、高圧電源基板から出力される電力により、二次転写ニップ部で像担持体からトナー画像が転写された記録媒体を像担持体から分離する画像形成装置において、高圧電源基板に、高圧を発生する変換機が配置され、変換機内の駆動コイルと高圧発生コイルとは、絶縁された構造であり、駆動コイルを制御する制御信号を生成するＣＰＵを有し、ＣＰＵは、二次転写ニップ部に対する記録媒体の位置に応じた出力波形の高圧を発生させる制御信号を生成することにより、記録媒体内で出力波形を切り換え、高圧電源基板の一つの変換機の出力端子から複数の出力波形の高圧を出力する。【選択図】図７
2020118915.tif 000002
【特許請求の範囲】
【請求項１】
電子写真方式の画像形成に利用される高圧電源基板を備え、前記高圧電源基板から出力される電力により、二次転写ニップ部で像担持体からトナーの画像が転写された記録媒体を前記像担持体から分離する画像形成装置において、
前記高圧電源基板に、高圧を発生する変換機が配置され、前記変換機内の駆動コイルと高圧発生コイルとは、絶縁された構造であり、
前記駆動コイルを制御する制御信号を生成するＣＰＵを有し、
前記ＣＰＵは、前記二次転写ニップ部に対する前記記録媒体の位置に応じた出力波形の高圧を発生させる前記制御信号を生成することにより、前記記録媒体内で前記出力波形を切り替え、
前記高圧電源基板の一つの前記変換機の出力端子から複数の出力波形の高圧を出力する、
ことを特徴とする画像形成装置。
【請求項２】
前記ＣＰＵは、前記記録媒体の先端が前記二次転写ニップ部に突入した時と、前記記録媒体の画像転写領域が前記二次転写ニップ部に突入した時とで、前記出力波形を切り替える、
ことを特徴とする請求項１に記載の画像形成装置。
【請求項３】
前記ＣＰＵは、更に、前記記録媒体の後端が前記二次転写ニップ部に突入した時に、前記出力波形を切り替える、
ことを特徴とする請求項２に記載の画像形成装置。
【請求項４】
前記ＣＰＵは、前記記録媒体に転写される画像に応じて、前記出力波形を切り替える、
ことを特徴とする請求項２又は３に記載の画像形成装置。
【請求項５】
前記ＣＰＵは、前記記録媒体に転写される画像の有無、及び／又は、前記画像の濃度に応じて、前記出力波形を切り替える、
ことを特徴とする請求項４に記載の画像形成装置。
【請求項６】
前記ＣＰＵは、前記記録媒体の先端が前記二次転写ニップ部に突入した時の前記出力波形の立ち上がり／立ち下がりの傾きよりも、前記記録媒体の画像転写領域が前記二次転写ニップ部に突入した時の前記出力波形の立ち上がり／立ち下がりの傾きを緩やかにする、
ことを特徴とする請求項２乃至５のいずれか一に記載の画像形成装置。
【請求項７】
前記ＣＰＵは、前記記録媒体の先端が前記二次転写ニップ部に突入した時は、前記出力波形を矩形波とし、前記記録媒体の画像転写領域が前記二次転写ニップ部に突入した時は、前記出力波形を台形波とする、
ことを特徴とする請求項２乃至６のいずれか一に記載の画像形成装置。
【請求項８】
前記ＣＰＵは、前記記録媒体の先端が前記二次転写ニップ部に突入した時は、前記出力波形を台形波とし、前記記録媒体の画像転写領域が前記二次転写ニップ部に突入した時は、前記出力波形を正弦波とするか、若しくは、高圧の出力をオフにする、
ことを特徴とする請求項２乃至６のいずれか一に記載の画像形成装置。
【請求項９】
前記ＣＰＵは、前記台形波の立ち上がり／立ち下がりの傾きを、前記記録媒体の剛性に応じて変更する、
ことを特徴とする請求項７又は８に記載の画像形成装置。
【請求項１０】
前記ＣＰＵは、前記高圧電源基板内に配置されている、
ことを特徴とする請求項１乃至９のいずれか一に記載の画像形成装置。
【請求項１１】
前記ＣＰＵは、前記高圧の出力を、定電流制御又は定電圧制御で行う、
ことを特徴とする請求項１乃至１０のいずれか一に記載の画像形成装置。
【請求項１２】
電子写真方式の画像形成に利用される高圧電源基板を備え、前記高圧電源基板から出力される電力により、二次転写ニップ部で像担持体からトナーの画像が転写された記録媒体を前記像担持体から分離する画像形成装置における紙分離方法であって、
前記高圧電源基板に、高圧を発生する変換機が配置され、前記変換機内の駆動コイルと高圧発生コイルとは、絶縁された構造であり、
前記駆動コイルを制御する制御信号を生成するＣＰＵを有し、
前記ＣＰＵは、
前記二次転写ニップ部に対する前記記録媒体の位置を特定する第１処理と、
少なくとも、前記記録媒体の先端が前記二次転写ニップ部に突入した時、及び、前記記録媒体の画像転写領域が前記二次転写ニップ部に突入した時に、出力波形を選択する第２処理と、
選択した前記出力波形の高圧を発生させる前記制御信号を生成する第３処理と、
前記高圧電源基板の一つの前記変換機の出力端子から、前記記録媒体内で出力波形を切り替えて、高圧を出力する第４処理と、を実行する、
ことを特徴とする紙分離方法。
【請求項１３】
電子写真方式の画像形成に利用される高圧電源基板を備え、前記高圧電源基板から出力される電力により、二次転写ニップ部で像担持体からトナーの画像が転写された記録媒体を前記像担持体から分離する画像形成装置で動作する紙分離制御プログラムであって、
前記高圧電源基板に、高圧を発生する変換機が配置され、前記変換機内の駆動コイルと高圧発生コイルとは、絶縁された構造であり、
前記駆動コイルを制御する制御信号を生成するＣＰＵを有し、
前記ＣＰＵに、
前記二次転写ニップ部に対する前記記録媒体の位置を特定する第１処理、
少なくとも、前記記録媒体の先端が前記二次転写ニップ部に突入した時、及び、前記記録媒体の画像転写領域が前記二次転写ニップ部に突入した時に、出力波形を選択する第２処理、
選択した前記出力波形の高圧を発生させる前記制御信号を生成する第３処理、
前記高圧電源基板の一つの前記変換機の出力端子から、前記記録媒体内で出力波形を切り替えて、高圧を出力する第４処理、を実行させる、
ことを特徴とする紙分離制御プログラム。
【発明の詳細な説明】
【技術分野】
【０００１】
本発明は、画像形成装置、紙分離方法及び紙分離制御プログラムに関し、特に、電子写真方式の画像形成に利用される高圧電源基板を備える画像形成装置、当該画像形成装置における紙分離方法及び当該画像形成装置で動作する紙分離制御プログラムに関する。
【背景技術】
【０００２】
電子写真方式で画像形成を行うＭＦＰ（Multi-Functional Peripherals）などの画像形成装置では、帯電や現像、転写の際に高圧を印加するための高圧電源回路を備えている。従来の高圧電源回路は、装置の全体制御（特に、エンジン制御）を行うＣＰＵ（Central Processing Unit）の一部機能を使用して出力制御が行われている。この出力制御には、制御信号とＦＢ（feedback）信号とが必要であり、高圧電源回路とＣＰＵとの間で信号のやり取りが行われる。
【０００３】
一般的に、装置の全体制御（特に、エンジン制御）を行うＣＰＵが搭載されている制御基板と高圧電源回路が形成されている高圧電源基板とは分離されており、基板間の配線経路が長くなる場合がある。そのため、信号を確実に伝達するための部品が配置される。例えば、制御信号はノイズの影響を除去するためにＣＰＵからＰＷＭ（Pulse Width Modulation）信号で送り出し、高圧電源基板内で変換器を用いてアナログ信号に変換している。また、ＦＢ信号はアナログ信号であるため、ＳＮ比を上げるために増幅器で増幅して高圧電源基板から送り出し、ＣＰＵが搭載されている制御基板の受け側にフィルタを設けてノイズ除去を行っている。
【０００４】
このような高圧電源に関する技術として、例えば、下記特許文献１には、電子写真方式の画像形成装置内で使用される帯電バイアス、現像バイアスおよび転写バイアスの少なくとも１つに供給する高電圧を発生する高圧電源装置であって、駆動パルスの周波数に応じた高電圧を出力する圧電トランスと、前記駆動パルスを発生する駆動パルス発生手段と、前記駆動パルス発生手段によって発生する駆動パルスの周波数を制御する周波数制御手段と、前記圧電トランスの出力電圧を検出する電圧検出手段とを具え、前記周波数制御手段は、前記駆動パルス発生手段によって発生する駆動パルスの周波数を順次段階的に上昇または下降して、前記電圧検出手段によって得られる電圧値がピークを超えたことを検出したときは、そのピークを超える１段階前の周波数を、動作下限周波数として設定し、前記画像形成装置の動作時において前記駆動パルス発生手段によって発生する駆動パルスの周波数を前記動作下限周波数以上に制御する構成が開示されている。
【０００５】
また、下記特許文献２には、トナー像を担持する像担持体に対向して設置され、該像担持体と記録媒体を接触させて、直流高圧電源と交流高圧電源の双方が発する電圧により形成される転写電界により、前記像担持体上の所望の極性に帯電されたトナー像を前記記録媒体に転写する転写装置において、前記記録媒体の先端部分が前記転写電界内にある場合よりも、前記記録媒体の他の部分が前記転写電界内にある場合に、前記交流電圧電源の出力電圧を小さくする構成が開示されている。
【０００６】
また、下記特許文献３には、移動可能な被帯電体表面に帯電部材を接触又は近接させて配設し、該帯電部材に直流電圧と交流電圧とが重畳された振動電圧を印加して前記被帯電体表面を帯電させる帯電手段を備え、該帯電手段による前記被帯電体表面の帯電プロセスを含む電子写真プロセスによって転写材上にトナー像を形成する画像形成装置において、画像形成を行うための動作時である画像形成動作時と画像形成を行うため以外の動作時である非画像形成動作時とで、前記帯電部材に印加する前記振動電圧の波形を切り替える制御手段を備える構成が開示されている。
【先行技術文献】
【特許文献】
【０００７】
【特許文献１】特開２００７−２９５７２２号公報
【特許文献２】特開２０１２−１１３２７９号公報
【特許文献３】特開２０００−２４２０６２号公報
【発明の概要】
【発明が解決しようとする課題】
【０００８】
上述したように、高圧電源は、電子写真方式で画像形成を行う画像形成装置では、帯電、現像、転写などの際に利用されるが、この高圧電源の利用に際して下記のような問題が生じる。例えば、像担持体である中間転写ベルトに形成されたトナーの画像を用紙（記録媒体）に転写した後、当該用紙を中間転写ベルトから引き離す処理（紙分離と呼ぶ。）を行う際に高圧電源を利用する場合の問題点について説明する。
【０００９】
紙分離では、所定の波形の交流電圧／電流を出力して用紙上の電荷を除電することにより、用紙と中間転写ベルトとを分離するが、出力波形の立ち上がり／立ち下がりの傾きによって紙分離性が左右される。例えば、急峻な立ち上がり／立ち下がりの台形波や矩形波のような波形では、紙分離性を良好にすることができるが、急激な電圧／電流の変化によって用紙に静電転写されたトナーが移動して（散って）しまい、画像不良（画像散りと呼ぶ。）を引き起こしてしまう。逆に、緩やかな立ち上がり／立ち下がりの台形波や正弦波のような波形では、画像不良を抑制することができるが、紙分離性が低下するために中間転写ベルトへの巻き付きなどの問題を引き起こしてしまう。
【００１０】
そこで、通常、紙分離性と画像不良の抑制とを両立可能な立ち上がり／立ち下がりの傾きを持った波形を生成するようにしているが、紙分離性は紙種（用紙の剛性）などによって異なるため、分離爪などを用いて紙分離性が悪い用紙を中間転写ベルトから物理的に分離させる機能を付加したり、使用する用紙を制限したりする必要があった。しかしながら、物理的に分離させる機能を付加すると装置の構造や制御が複雑になり、また、用紙を制限するとユーザの利便性が損なわれるという問題が生じる。この問題に対して、高圧電源基板に複数の波形を生成するための複数の回路を形成する方法が考えられるが、この方法では、高圧電源基板の構成が複雑になるという問題が生じる。
【００１１】
本発明は、上記問題点に鑑みてなされたものであって、その主たる目的は、二次転写後に用紙を中間転写ベルトから引き離す紙分離において、様々な紙種の用紙に対して紙分離性の向上と画像不良の抑制とを両立させることができる画像形成装置、紙分離方法及び紙分離制御プログラムを提供することにある。
【課題を解決するための手段】
【００１２】
本発明の一側面は、電子写真方式の画像形成に利用される高圧電源基板を備え、前記高圧電源基板から出力される電力により、二次転写ニップ部で像担持体からトナーの画像が転写された記録媒体を前記像担持体から分離する画像形成装置において、前記高圧電源基板に、高圧を発生する変換機が配置され、前記変換機内の駆動コイルと高圧発生コイルとは、絶縁された構造であり、前記駆動コイルを制御する制御信号を生成するＣＰＵを有し、前記ＣＰＵは、前記二次転写ニップ部に対する前記記録媒体の位置に応じた出力波形の高圧を発生させる前記制御信号を生成することにより、前記記録媒体内で前記出力波形を切り替え、前記高圧電源基板の一つの前記変換機の出力端子から複数の出力波形の高圧を出力することを特徴とする。
【００１３】
本発明の一側面は、電子写真方式の画像形成に利用される高圧電源基板を備え、前記高圧電源基板から出力される電力により、二次転写ニップ部で像担持体からトナーの画像が転写された記録媒体を前記像担持体から分離する画像形成装置における紙分離方法であって、前記高圧電源基板に、高圧を発生する変換機が配置され、前記変換機内の駆動コイルと高圧発生コイルとは、絶縁された構造であり、前記駆動コイルを制御する制御信号を生成するＣＰＵを有し、前記ＣＰＵは、前記二次転写ニップ部に対する前記記録媒体の位置を判断する第１処理と、少なくとも、前記記録媒体の先端が前記二次転写ニップ部に突入した時、及び、前記記録媒体の画像転写領域が前記二次転写ニップ部に突入した時に、出力波形を選択する第２処理と、選択した前記出力波形の高圧を発生させる前記制御信号を生成する第３処理と、前記高圧電源基板の一つの前記変換機の出力端子から、前記記録媒体内で出力波形を切り替えて、高圧を出力する第４処理と、を実行することを特徴とする。
【００１４】
本発明の一側面は、電子写真方式の画像形成に利用される高圧電源基板を備え、前記高圧電源基板から出力される電力により、二次転写ニップ部で像担持体からトナーの画像が転写された記録媒体を前記像担持体から分離する画像形成装置で動作する紙分離制御プログラムであって、前記高圧電源基板に、高圧を発生する変換機が配置され、前記変換機内の駆動コイルと高圧発生コイルとは、絶縁された構造であり、前記駆動コイルを制御する制御信号を生成するＣＰＵを有し、前記ＣＰＵに、前記二次転写ニップ部に対する前記記録媒体の位置を特定する第１処理、少なくとも、前記記録媒体の先端が前記二次転写ニップ部に突入した時、及び、前記記録媒体の画像転写領域が前記二次転写ニップ部に突入した時に、出力波形を選択する第２処理、選択した前記出力波形の高圧を発生させる前記制御信号を生成する第３処理、前記高圧電源基板の一つの前記変換機の出力端子から、前記記録媒体内で出力波形を切り替えて、高圧を出力する第４処理、を実行させることを特徴とする。
【発明の効果】
【００１５】
本発明の画像形成装置、紙分離方法及び紙分離制御プログラムによれば、二次転写後に用紙を中間転写ベルトから引き離す紙分離において、様々な紙種の用紙に対して紙分離性の向上と画像不良の抑制とを両立させることができる。
【００１６】
その理由は、電子写真方式の画像形成に利用される高圧電源基板を備え、高圧電源基板から出力される電力により、二次転写ニップ部で像担持体からトナー画像が転写された記録媒体を像担持体から分離する画像形成装置において、高圧電源基板に、高圧を発生する変換機が配置され、変換機内の駆動コイルと高圧発生コイルとは、絶縁された構造であり、駆動コイルを制御する制御信号を生成するＣＰＵを有し、ＣＰＵは、二次転写ニップ部に対する記録媒体の位置に応じた出力波形の高圧を発生させる制御信号を生成することにより、記録媒体内で出力波形を切り替え、高圧電源基板の一つの変換機の出力端子から複数の出力波形の高圧を出力するからである。
【図面の簡単な説明】
【００１７】
【図１】本発明の一実施例に係る画像形成装置の構成を示す模式図である。
【図２】本発明の一実施例に係る画像形成装置の構成を示すブロック図である。
【図３】本発明の一実施例に係る中間転写ユニットの構成を示す模式図である。
【図４】本発明の一実施例に係る高圧電源基板の構成を示す回路図である。
【図５】本発明の一実施例に係る高圧電源基板の他の構成を示す回路図である。
【図６】本発明の一実施例に係る高圧電源基板の出力端子から出力される交番波形を示す模式図である。
【図７】本発明の一実施例に係る高圧電源制御を説明する図であり、（ａ）は用紙全体の出力波形、（ｂ）、（ｃ）は１周期分の交番波形を示している。
【図８】本発明の一実施例に係る画像形成装置の動作を示すフローチャート図である。
【図９】本発明の一実施例に係る薄紙に対する高圧電源制御を説明する図であり、（ａ）は薄紙の先端が二次転写ニップ部に突入した状態、（ｂ）は薄紙の画像転写領域が二次転写ニップ部に突入した状態を示している。
【図１０】本発明の一実施例に係る厚紙に対する高圧電源制御を説明する図であり、（ａ）は厚紙の先端が二次転写ニップ部に突入した状態、（ｂ）は厚紙の画像転写領域が二次転写ニップ部に突入した状態を示している。
【図１１】従来の高圧電源基板の構成を示す回路図である。
【図１２】従来の高圧電源基板の出力端子から出力される交番波形を示す模式図である。
【発明を実施するための形態】
【００１８】
背景技術で示したように、電子写真方式で画像形成を行うＭＦＰなどの画像形成装置では、帯電や現像、転写の際に高圧を印加するための高圧電源回路を備えており、装置の全体制御（特に、エンジン制御）を行うＣＰＵの一部機能を使用して出力制御が行われている。一般的に、装置の全体制御を行うＣＰＵが搭載されている制御基板と高圧電源基板とは分離されており、配線経路が長くなる場合があるため、制御信号の伝達経路に変換器を配置したり、アナログ信号であるＦＢ信号の伝達経路に、増幅器やフィルタ（ＦＢ信号をＰＷＭ信号とする場合は変換器）を配置したりしている。
【００１９】
この従来の高圧電源回路について図１１を参照して説明する。図１１の高圧電源回路は、いわゆるフィードバック制御により二次転写後の用紙を分離除電する高圧を出力する回路であり、制御基板のＣＰＵにより制御される。高圧電源基板は、フィルタと出力アンプとエラーアンプと波形生成部とを備え、波形生成部は、ＤＣ生成部とＡＣ生成部とを備えている。また、制御基板は、ＣＰＵと出力アンプとフィルタとを備え、ＣＰＵは、演算部と記憶部とＰＷＭ出力部とＡ／Ｄ変換入力部とを備えている。
【００２０】
上記のような従来の回路構成では、分離除電する高圧のＡＣ波形はＡＣ生成部のトランスを用いて生成されるため、その波形（台形波など）は一定となっている。また、出力モニター信号は、高圧電源基板の出口に設けた出力アンプと制御基板の入口に設けたフィルタとを介して制御基板のＣＰＵに入力され、ＣＰＵから出力される制御信号は、制御基板の出口に設けた出力アンプと高圧電源基板の入口に設けたフィルタとを介して高圧電源回路に入力されため、フィルタの時定数などにより、フレキシブルな波形の切り替えは出来ない構造となっている。
【００２１】
このように、従来の回路構成では波形の変更が困難であるため、例えば、特許文献２では、用紙内で電圧を変更することにより、紙分離性の向上と画像不良の抑制とを図るようにしているが、紙分離性は波形に大きく依存するため、出力電圧／電流を最大にしても最大の紙分離性を得ることはできず、また、出力電圧／電流を最小にしても紙分離性を最小にすることはできない。また、特許文献３では、図１２に示すように、台形波の傾きを切り替えるようにしているが、フレキシブルな波形の変更については言及しておらず、また、その具体的な変更の方法も記載されていない。
【００２２】
そこで、本発明の一実施の形態では、高圧電源基板から複数の出力波形の高圧を出力できるようにし、二次転写ニップ部に対する用紙の位置に応じて、出力波形を切り替えるようにする。
【００２３】
具体的には、電子写真方式の画像形成に利用される高圧電源基板を備え、高圧電源基板から出力される電力により、二次転写ニップ部で像担持体からトナー画像が転写された記録媒体を像担持体から分離する画像形成装置において、高圧電源基板に、高圧を発生する変換機が配置され、変換機内の駆動コイルと高圧発生コイルとは、絶縁された構造であり、駆動コイルを制御する制御信号を生成するＣＰＵを有し、ＣＰＵは、二次転写ニップ部に対する記録媒体の位置に応じた出力波形の高圧を発生させる制御信号を生成することにより、記録媒体内で出力波形を切り替え、高圧電源基板の一つの変換機の出力端子から複数の出力波形の高圧を出力する構成とする。また、ＣＰＵは、高圧電源基板内に配置されている構成とする。
【００２４】
例えば、用紙が薄紙の場合は、用紙は中間転写ベルトに巻き付きやすいことから、用紙の先端が二次転写ニップ部に突入した時は矩形波を出力し、用紙の画像転写領域が二次転写ニップ部に突入した時は台形波を出力する。また、用紙が厚紙の場合は、用紙は中間転写ベルトに巻き付きにくいことから、用紙の先端が二次転写ニップ部に突入した時は台形波を出力し、用紙の画像転写領域が二次転写ニップ部に突入した時は正弦波を出力する。
【００２５】
このように、同一の用紙内で出力波形を切り替えることにより、紙分離性の向上と画像不良（画像散り）の抑制とを両立させることができ、様々な種類の用紙を利用できるようにすることができる。また、ＣＰＵを高圧電源基板内に配置することにより、高圧の出力を高速に切り替えることができる。
【００２６】
なお、本明細書において、高圧とは、電気設備技術基準で定められた電圧であり、交流の場合は６００Ｖを超え７０００Ｖ以下の電圧である。また、交番波形とは、周期的に大きさが変化する波形であり、正又は負の領域で周期的に大きさが変化する（すなわち、周期的に正負が変化しない）場合を含む。
【実施例】
【００２７】
上記した本発明の一実施の形態についてさらに詳細に説明すべく、本発明の一実施例に係る画像形成装置について、図１乃至図１０を参照して説明する。図１は、本実施例の画像形成装置の構成を示す模式図であり、図２は、画像形成装置の構成を示すブロック図、図３は、中間転写ユニットの構成を示す模式図である。また、図４及び図５は、本実施例の高圧電源基板の構成を示す回路図であり、図６は、高圧電源基板から出力される波形を示す模式図、図７は、本実施例の高圧電源制御を説明する模式図である。また、図８は、本実施例の画像形成装置の動作を示すフローチャート図であり、図９は、薄紙に対する高圧電源制御を説明する模式図、図１０は、厚紙に対する高圧電源制御を説明する模式図である。
【００２８】
図１に示すように、本実施例の画像形成装置１０は、原稿を読み取って取得した画像データ、又は、通信ネットワークを介して外部の情報機器（例えばクライアント装置）から入力された画像データに基づいて、用紙（記録媒体）に色を重ね合わせることにより画像を形成する装置であり、例えば、イエロー（Ｙ）、マゼンタ（Ｍ）、シアン（Ｃ）、ブラック（Ｋ）の４色に対応する感光体としての感光体ドラム８３Ｙ、８３Ｍ、８３Ｃ、８３Ｋが、被転写体（中間転写ベルト）の走行方向に直列配置されたタンデム方式の画像形成装置である。
【００２９】
この画像形成装置１０は、図２（ａ）に示すように、制御部２０、高圧電源部３０、表示操作部４０、画像読取部５０、画像処理部６０、搬送部７０、画像形成部８０などで構成される。
【００３０】
制御部２０は、ＣＰＵ（Central Processing Unit）２１と、ＲＯＭ（Read Only Memory）２２やＲＡＭ（Random Access Memory）２３等のメモリと、ＨＤＤ（Hard Disk Drive）やＳＳＤ（Solid State Drive）等の記憶部２４と、ＮＩＣ（Network Interface Card）やモデム等のネットワークＩ／Ｆ部２５などで構成される。ＣＰＵ２１は、ＲＯＭ２２又は記憶部２４から処理内容に応じたプログラムを読み出し、ＲＡＭ２３に展開して実行することにより、画像形成装置１０の各部の動作を集中制御する。記憶部２４は、ＣＰＵ２１が各部を制御するためのプログラム、自装置の処理機能に関する情報、画像読取部５０が読み取った画像データ、図示しないクライアント装置などから入力された画像データ、環境情報、媒体情報、状態情報などを記憶する。ネットワークＩ／Ｆ部２５は、画像形成装置１０をＬＡＮ（Local Area Network）やＷＡＮ（Wide Area Network）等の通信ネットワークに接続し、外部の情報機器（例えばクライアント装置）との間で各種データの送受信を行う。
【００３１】
高圧電源部３０は、帯電や現像、転写の際に利用される高圧を発生する回路であり、制御部２０が生成する制御信号に従って、後述する帯電装置８４や現像装置８２、一次転写ローラ８６、中間転写ユニット８７に、１つの出力端子から複数の波形の高圧を出力する。特に、本実施例では、中間転写ユニット８７に設けられる分離装置（二次転写ニップ部で中間転写ベルトからトナーの画像が転写された用紙を中間転写ベルトから分離する除電針など）に、二次転写ニップ部に対する用紙の位置に応じた出力波形の高圧を出力することにより、紙分離を実行させる。この高圧電源部３０の詳細な構成は後述する。
【００３２】
表示操作部４０は、ＬＣＤ（Liquid Crystal Display）や有機ＥＬ（Electro Luminescence）ディスプレイなどの表示部上に、透明電極が格子状に配置された感圧式や静電容量式などの操作部（タッチセンサ）を設けたタッチパネルなどで構成され、表示部及び操作部として機能する。表示部は、制御部２０から入力される表示制御信号に従って、各種操作画面、画像の状態表示、各機能の動作状況等の表示を行う。操作部は、ユーザによる各種入力操作を受け付けて、操作信号を制御部２０に出力する。
【００３３】
画像読取部５０は、ＡＤＦ（Auto Document Feeder）と呼ばれる自動原稿給紙装置５１及び原稿画像走査装置（スキャナー）５２などで構成される。自動原稿給紙装置５１は、原稿トレイに載置された原稿を搬送機構により搬送して原稿画像走査装置５２へ送り出す。原稿画像走査装置５２は、自動原稿給紙装置５１からコンタクトガラス上に搬送された原稿又はコンタクトガラス上に載置された原稿を光学的に走査し、原稿からの反射光をＣＣＤ（Charge Coupled Device）センサの受光面上に結像させて原稿画像を読み取る。画像読取部５０によって読み取られた画像（アナログ画像信号）は、画像処理部６０において所定の画像処理が施される。
【００３４】
画像処理部６０は、アナログデジタル（Ａ／Ｄ）変換処理を行う回路及びデジタル画像処理を行う回路などで構成される。画像処理部６０は、画像読取部５０からのアナログ画像信号にＡ／Ｄ変換処理を施すことによりデジタル画像データを生成する。また、画像処理部６０は、外部の情報機器（例えばクライアント装置）から取得した印刷ジョブを解析し、原稿の各ページをラスタライズしてデジタル画像データを生成する。そして、画像処理部６０は、必要に応じて、画像データに対して、色変換処理、補正処理（シェーディング補正等）、及び圧縮処理等の画像処理を施し、画像処理後の画像データを画像形成部８０に出力する。また、画像処理部６０は、画像処理に際して、画像転写領域の位置、転写される画像の濃度などの状態情報を取得して制御部２０や高圧電源部３０に出力する。
【００３５】
搬送部７０は、図１に示すように、給紙装置７１、搬送機構７２、及び排紙装置７３などで構成される。本実施例では、給紙装置７１は、３つの給紙トレイユニットを備えている。これらの給紙トレイユニットには、用紙の坪量やサイズ等に基づいて識別された規格用紙や特殊用紙（エンボス紙など）が予め設定された種類ごとに収容されており、紙種や坪量、剛度などの媒体情報を制御部２０や高圧電源部３０に出力する。給紙トレイユニットに収容されている用紙は、最上部から一枚ずつ送出され、レジストローラ等の複数の搬送ローラを備えた搬送機構７２により画像形成部８０に搬送される。このとき、レジストローラが配設されたレジスト部により、給紙された用紙の傾きが補正されると共に搬送タイミングが調整される。そして、画像形成部８０によって画像が形成された用紙は、排紙ローラを備えた排紙装置７３により機外の排紙トレイに排紙される。
【００３６】
画像形成部８０は、図１及び図２（ｂ）に示すように、異なる色成分Ｙ、Ｍ、Ｃ、Ｋに対応して設けられた、露光装置８１（８１Ｙ、８１Ｍ、８１Ｃ、８１Ｋ）、現像装置８２（８２Ｙ、８２Ｍ、８２Ｃ、８２Ｋ）、感光体ドラム８３（８３Ｙ、８３Ｍ、８３Ｃ、８３Ｋ）、帯電装置８４（８４Ｙ、８４Ｍ、８４Ｃ、８４Ｋ）、クリーニング装置８５（８５Ｙ、８５Ｍ、８５Ｃ、８５Ｋ）、一次転写ローラ８６（８６Ｙ、８６Ｍ、８６Ｃ、８６Ｋ）、中間転写ユニット８７、定着装置８８等を備えて構成される。なお、以下の説明では、必要に応じて、Ｙ、Ｍ、Ｃ、Ｋを除いた符号を使用する。
【００３７】
各色成分Ｙ、Ｍ、Ｃ、Ｋの感光体ドラム８３は、アルミ材よりなる円筒状の金属基体の外周面上に、保護層としてのオーバーコート層を設けた有機感光体層（ＯＰＣ）が形成された像担持体である。感光体ドラム８３は、接地された状態で後述する中間転写ベルトに従動して図１における反時計方向に回転される。
【００３８】
各色成分Ｙ、Ｍ、Ｃ、Ｋの帯電装置８４は、スコロトロン式であって、その長手方向を感光体ドラム８３の回転軸方向に沿わせた状態で、対応する感光体ドラム８３に近接配設されており、トナーと同極性のコロナ放電によって、当該感光体ドラム８３の表面に一様な電位を与える。この帯電に際して、必要に応じて、高圧電源部３０の１つの出力端子から複数の波形の高圧が出力される。
【００３９】
各色成分Ｙ、Ｍ、Ｃ、Ｋの露光装置８１は、例えばポリゴンミラーなどによって感光体ドラム８３の回転軸と平行に走査を行い、一様に帯電された対応する感光体ドラム８３の表面上に画像データに基づいて像露光を行うことにより静電潜像を形成させる。
【００４０】
各色成分Ｙ、Ｍ、Ｃ、Ｋの現像装置８２は、対応する色成分の小粒径のトナーと磁性体とからなる二成分現像剤を収容しており、トナーを感光体ドラム８３の表面に搬送して、当該感光体ドラム８３に担持された静電潜像をトナーにより顕像化する。この現像に際して、必要に応じて、高圧電源部３０の１つの出力端子から複数の波形の高圧が出力される。
【００４１】
各色成分Ｙ、Ｍ、Ｃ、Ｋの一次転写ローラ８６は、中間転写ベルトを感光体ドラム８３に圧接し、対応する感光体ドラム８３に形成された各色トナー像を順次重ねて中間転写ベルトに一次転写する。この一次転写に際して、必要に応じて、高圧電源部３０の１つの出力端子から複数の波形の高圧が出力される。
【００４２】
各色成分Ｙ、Ｍ、Ｃ、Ｋのクリーニング装置８５は、一次転写後に対応する感光体ドラム８３上に残留した残留トナーを回収する。また、クリーニング装置８５の感光体ドラム８３の回転方向下流側には図示しない潤滑剤の塗布機構が隣接状態で設けられており、対応する感光体ドラム８３の感光面に潤滑剤の塗布を行っている。
【００４３】
中間転写ユニット８７は、像担持体である無端状の中間転写ベルト８７ａと支持ローラ８７ｂと二次転写ローラ８７ｃと分離装置（図示せず）と中間転写クリーニング部８７ｅなどを備え、複数の支持ローラ８７ｂに中間転写ベルト８７ａが張架されて構成される。一次転写ローラ８６Ｙ、８６Ｍ、８６Ｃ、８６Ｋによって各色トナー像が一次転写された中間転写ベルト８７ａが、二次転写ローラ８７ｃによって用紙に圧接されると、圧接部（二次転写ニップ部と呼ぶ。）にて用紙にトナー像が二次転写され、定着装置８８に送られる。この二次転写ニップの下流側（用紙搬送方向の下流側）には、図３に示すように、分離装置（本実施例では、二次転写ローラ８７ｃの軸方向に延設された鋸歯状の除電針８７ｄとする。）が設置されている。中間転写クリーニング部８７ｅは、中間転写ベルト８７ａの表面に摺接されるベルトクリーニングブレード（以下、ＢＣＬブレード）を有する。二次転写後に中間転写ベルト８７ａの表面に残存する転写残トナーは、ＢＣＬブレードによって掻き取られ、除去される。この二次転写や紙分離に際して、高圧電源部３０の１つの出力端子から複数の波形の高圧が出力される。
【００４４】
定着装置８８は、熱源となる加熱ローラ８８ａと定着ローラ８８ｂとこれらに掛け渡された定着ベルト８８ｃと加圧ローラ８８ｄなどを備え、定着ベルト８８ｃを介して定着ローラ８８ｂに加圧ローラ８８ｄが圧接されており、当該圧接部がニップ部を構成している。そして、加熱ローラ８８ａで加熱された定着ベルト８８ｃと各ローラとによりニップ部を通過する用紙を加熱加圧し、用紙に形成された未定着のトナー像を定着させる。
【００４５】
そして、定着装置８８によりトナー像が定着された用紙は、排紙ローラを備えた排紙装置７３により機外の排紙トレイに排紙される。
【００４６】
次に、高圧電源部３０の構成について、図４を参照して説明する。図４に示すように、本実施例の高圧電源部３０は、高圧電源基板３０ａに、ＣＰＵ３１と駆動アンプ部３２とスイッチ素子３３とトランス（変換機）３４と整流回路３５と出力モニター回路３６と出力端子３７とを備えている。また、ＣＰＵ３１は、演算部３１ａと記憶部３１ｂと出力部３１ｃと入力部３１ｄとを備えている。
【００４７】
トランス３４の一次側コイル（駆動コイル）と二次側コイル（高圧発生コイル）とは絶縁された構造になっている。一次側コイル（駆動コイル）の一端は、低圧電源（例えば、２４Ｖの直流電圧を供給する電源）に接続されており、他端は、トランジスタのコレクタ端子に接続されている。二次側コイル（高圧発生コイル）は、整流回路３５に接続されている。トランジスタは、トランスの一次側コイルをスイッチングするスイッチ素子３３として用いられ、ベース端子は、駆動アンプ部３２に接続され、エミッタ端子は、アースされている。
【００４８】
ＣＰＵ３１の出力部（ＰＷＭ出力部）３１ｃは、トランジスタをオン／オフするための駆動パルス（制御信号）を出力する回路であり、駆動パルスのパルス幅を変調させる構成になっている。トランジスタは、駆動パルスのオン時に導通（オン）、オフ時に非導通（オフ）の状態になる。従って、駆動パルスのオン時間が長くなると、二次側コイルからの出力電圧を高くすることができ、逆に、駆動パルスのオン時間が短くなると、二次側コイルからの出力電圧を低くすることができる。
【００４９】
この出力部３１ｃから出力される制御信号（ＰＷＭ信号）は、駆動アンプ部３２に入力されて増幅され、スイッチ素子３３のベース端子に入力される。なお、出力部３１ｃから出力される制御信号によってスイッチ素子３３を駆動できる場合は、駆動アンプ部３２を省略することができる。そして、スイッチ素子３３のスイッチング動作に応じて駆動コイルに電圧が印加され、高圧発生コイルからスイッチ素子３３の駆動周波数に同期した交番波形の高圧が発生する。
【００５０】
整流回路３５は、ダイオード、コンデンサ等からなる回路であり、高圧発生コイルから出力された交番波形の高圧を直流に変換し、高圧電源基板３０ａに配置される出力端子３７から画像形成部８０に出力する。本実施例では、出力端子３７は１つであり、出力部３１ｃから、駆動パルスのデューティー比を変化させた制御信号を出力することにより、１つの出力端子３７から、複数の波形の高圧を出力することができる。例えば、図６に示すように、正弦波、矩形波、台形波、階段波（図示せず）、三角波（図示せず）などを出力することができ、各波形の波高値を調整したり、台形波では立ち上がり／立ち下がりの傾きを調整したりすることができる。なお、スイッチ素子３３の駆動周波数は６０ｋＨｚ〜１００ｋＨｚとなるため、整流回路３５では、この周波数を平滑する１７μｓｅｃ以上、１７０μｓｅｃ以下の時定数となるように回路を構成する。
【００５１】
また、出力端子３７の高圧出力電圧は、抵抗Ｒ１と抵抗Ｒ２からなる出力モニター回路３６の抵抗分圧により、出力モニター信号として、ＣＰＵ３１の入力部３１ｄに入力される。ＣＰＵ３１の演算部３１ａは、出力モニター信号から誤差を算出し、出力制御を行う。例えば、ＣＰＵは、出力モニター信号をサンプリングし、その電圧値と、規定の電圧が出力されるとしたときに入力部３１ｄに入力されるべき電圧値（目標値）との差をとり、その差ができるだけ小さくなるように出力部３１ｃから出力される制御信号のデューティー比を変化させ、出力電圧が規定の電圧で維持されるようにフィードバック制御を行う。
【００５２】
上記構成の高圧電源部３０のＣＰＵ３１は、画像形成装置全体を制御する制御部２０の基板（制御基板）内にあるＣＰＵ２１から出力される情報に基づいて高圧の出力を制御（定電流制御又は定電圧制御）する高圧出力制御部として機能する。この情報は、環境情報、媒体情報、状態情報などである。環境情報は、温度、湿度などである。媒体情報は、紙種（例えば、普通紙や上質紙、エンボスの有無）、坪量（例えば、１２８ｇ／ｍ２）、剛度（例えば、１０００ｍＮ・ｍ）などである。状態情報は、搬送速度（例えば、６００ｍｍ／ｓｅｃ）、用紙位置（例えば、用紙の先端／後端／画像転写領域）、転写方式（片面／両面）、紙内情報（例えば、エンボス種、画像の有無、画像の濃度）などである。
【００５３】
具体的には、ＣＰＵ３１は、ＣＰＵ２１から上記情報（特に、紙種、坪量、剛度、用紙位置、紙内情報）を取得し、紙種、坪量、剛度などに基づいて、用紙が厚紙であるか薄紙であるかを判断し、その用紙に画像を転写する際に、用紙位置、紙内情報に基づいて、二次転写ニップ部に対する用紙の位置に応じた出力波形の高圧を発生させる制御信号を生成することにより、用紙内で出力波形を切り替える。
【００５４】
例えば、図７（ａ）に示すように、用紙の一部にトナーの画像が転写される場合、用紙の先端が二次転写ニップ部に突入したか、用紙の画像転写領域が二次転写ニップ部に突入したか（突入後は転写される画像の有無、画像の濃度）、用紙の後端が二次転写ニップ部に突入したかなどに応じて、除電針８７ｄに矩形波、台形波、正弦波などの出力波形の高圧が出力される。台形波が出力される場合は、図７（ｂ）の矢印で示すタイミングで指令値を変えていき（出力電圧を徐々に大きくする時は制御信号のデューティー比を徐々に大きくし）、スイッチ素子３３のオン／オフを制御する。また、正弦波が出力される場合は、図７（ｃ）の矢印で示すタイミングで指令値を変えていき、スイッチ素子３３のオン／オフを制御する。なお、ＣＰＵ３１の演算部３１ａは交番波形の１周期分の制御信号を随時演算し、出力部３１ｃは演算部３１ａが演算した制御信号を出力するようにしてもよいし、ＣＰＵ３１の記憶部３１ｂに交番波形の１周期分の制御信号を予め記憶しておき、出力部３１ｃは記憶部３１ｂに記憶された制御信号を出力するようにしてもよい。
【００５５】
次に、本実施例の画像形成装置１０（高圧電源部３０）の動作について説明する。ＣＰＵ３１は、記憶部３１ｂなどに記憶した紙分離制御プログラムを実行することにより、図８のフローチャート図に示す各ステップの処理を実行する。
【００５６】
まず、ＣＰＵ３１は、ＣＰＵ２１（又は搬送部７０）などから取得した媒体情報（紙種、坪量、剛度など）に基づいて、画像が転写される用紙が薄紙であるか厚紙であるかを判断する（Ｓ１０１）。
【００５７】
薄紙の場合は、ＣＰＵ３１は、ＣＰＵ２１（又は画像形成部８０）などから取得した状態情報（用紙位置）に基づいて、用紙の先端が二次転写ニップ部に突入したかを判断し（Ｓ１０２）、用紙の先端が二次転写ニップ部に突入したら（Ｓ１０２のＹｅｓ）、紙分離性が高い波形（例えば、矩形波）に応じた制御信号を生成し、出力端子３７から矩形波を出力させる（Ｓ１０３）。次に、ＣＰＵ３１は、ＣＰＵ２１（又は画像形成部８０）などから取得した状態情報（用紙位置）に基づいて、用紙の画像転写領域が二次転写ニップ部に突入したかを判断し（Ｓ１０４）、用紙の画像転写領域が二次転写ニップ部に突入したら（Ｓ１０４のＹｅｓ）、Ｓ１０３で選択した波形よりも画像が散りにくい波形（例えば、台形波）に応じた制御信号を生成し、出力端子３７から台形波を出力させる（Ｓ１０５）。画像転写領域が二次転写ニップ部に突入した後、必要に応じて、ＣＰＵ３１は、ＣＰＵ２１（又は画像形成部８０）などから取得した状態情報（紙内情報）に基づいて、転写される画像の有無や画像の濃度を判断し、画像の有無や画像の濃度に応じて出力波形を切り替える。例えば、画像が無い場合や画像の濃度が予め定めた閾値未満の場合は立ち上がり／立ち下がりの傾きが急峻な出力波形に切り替え、画像がある場合や画像の濃度が閾値以上の場合は立ち上がり／立ち下がりの傾きが緩やかな出力波形に切り替える。続いて、必要に応じて、ＣＰＵ３１は、ＣＰＵ２１（又は画像形成部８０）などから取得した状態情報（用紙位置）に基づいて、用紙の後端が二次転写ニップ部に突入したかを判断し（Ｓ１０６）、用紙の後端が二次転写ニップ部に突入したら（Ｓ１０６のＹｅｓ）、再び紙分離性が高い波形（例えば、矩形波）に応じた制御信号を生成し、出力端子３７から矩形波を出力させる（Ｓ１０７）。
【００５８】
一方、厚紙の場合は、ＣＰＵ３１は、ＣＰＵ２１（又は画像形成部８０）などから取得した状態情報（用紙位置）に基づいて、用紙の先端が二次転写ニップ部に突入したかを判断し（Ｓ１０８）、用紙の先端が二次転写ニップ部に突入したら（Ｓ１０８のＹｅｓ）、画像が散りにくい波形（例えば、台形波）に応じた制御信号を生成し、出力端子３７から台形波を出力させる（Ｓ１０９）。次に、ＣＰＵ３１は、ＣＰＵ２１（又は画像形成部８０）などから取得した状態情報（用紙位置）に基づいて、用紙の画像転写領域が二次転写ニップ部に突入したかを判断し（Ｓ１１０）、用紙の画像転写領域が二次転写ニップ部に突入したら（Ｓ１１０のＹｅｓ）、Ｓ１０９で選択した波形よりも画像が散りにくい波形（例えば、正弦波）に応じた制御信号を生成し、出力端子３７から正弦波を出力させる（Ｓ１１１）。画像転写領域が二次転写ニップ部に突入した後、必要に応じて、ＣＰＵ３１は、ＣＰＵ２１（又は画像形成部８０）などから取得した状態情報（紙内情報）に基づいて、転写される画像の有無や画像の濃度を判断し、上記と同様に、画像の有無や画像の濃度に応じて出力波形を切り替える。続いて、必要に応じて、ＣＰＵ３１は、ＣＰＵ２１（又は画像形成部８０）などから取得した状態情報（用紙位置）に基づいて、用紙の後端が二次転写ニップ部に突入したかを判断し（Ｓ１１２）、用紙の後端が二次転写ニップ部に突入したら（Ｓ１１２のＹｅｓ）、再び画像が散りにくい波形（例えば、台形波）に応じた制御信号を生成し、出力端子３７から台形波を出力させる（Ｓ１１３）。
【００５９】
以下、図９及び図１０を参照して、本実施例の高圧電源制御について具体的に説明する。
【００６０】
例えば、媒体情報（紙種）が普通紙、媒体情報（坪量）が６４ｇ／ｍ２、媒体情報（剛度）が４０ｍＮ・ｍの用紙が通紙される場合、当該用紙は薄紙のカテゴリに分類される。この場合、薄紙は中間転写ベルト８７ａに巻き付きやすいため、図９（ａ）に示すように、薄紙９０の先端が二次転写ニップ部に突入した時は、紙分離性が高い矩形波（例えば、周波数５００Ｈｚの矩形波）により紙分離を行う。また、薄紙９０は剥離性が悪いため、高圧出力をオフにすると、用紙途中から中間転写ベルト８７ａへの巻き付きが起こる場合もあることから、図９（ｂ）に示すように、薄紙９０の画像転写領域が二次転写ニップ部に突入した時は、高圧出力は停止せず、立ち上がり／立ち下がりの傾きが矩形波よりも緩やかな台形波（例えば、周波数５００Ｈｚの台形波）により紙分離を行う。この時、画像散りが起きない範囲で台形波の立ち上がり／立ち下がりの傾きを調整して、用紙の剥離性を維持する。
【００６１】
また、媒体情報（紙種）が上質紙、媒体情報（坪量）が３５０ｇ／ｍ２、媒体情報（剛度）が１０００ｍＮ・ｍの用紙が通紙される場合、当該用紙は厚紙に分類される。この場合、厚紙は腰が強いために中間転写ベルト８７ａへの巻き付きが起こりにくく、紙分離性を高くする必要が無いため、図１０（ａ）に示すように、厚紙９１の先端が二次転写ニップ部に突入した時は、台形波（例えば、周波数５００Ｈｚの台形波）により紙分離を行う。その際、台形波の立ち上がり／立ち下がりの傾きを、用紙の剛性に応じて変更することができ、例えば、薄紙の場合よりも立ち上がり／立ち下がりの傾きが緩やかな台形波とすることがまた、厚紙９１は用紙先端が剥離すれば、高圧出力が無くても用紙途中で中間転写ベルト８７ａへの巻き付きは起こらないことから、図１０（ｂ）に示すように、厚紙９１の画像転写領域が二次転写ニップ部に突入した時は、出力波形を正弦波（例えば、周波数５００Ｈｚの正弦波）に切り替えるか、若しくは高圧出力をオフにして、画像散りを抑制する。
【００６２】
上記では、図４の構成の高圧電源部３０を用いて複数の波形の高圧を出力する場合について説明したが、高圧電源部３０は１つの出力端子３７から複数の波形の高圧を出力することができる構成であればよく、例えば、図５に示すような構成とすることができる。
【００６３】
図４の構成との相違点１は、ＣＰＵ３１内の出力部３１ｃがデジタル／アナログ変換出力部で構成されていることであり、リニアなアナログ制御信号を出力することができる。なお、アナログ制御信号はＰＷＭ信号に比べてノイズの影響を受けやすいが、本実施例の高圧電源部３０は、ＣＰＵ３１が高圧電源基板３０ａ内にあり、ＣＰＵ３１から駆動アンプ部３２（又はスイッチ素子３３）までの距離が短いため、アナログ制御信号を用いることができる。
【００６４】
図４の構成との相違点２は、トランス３４の駆動コイルを駆動するスイッチ素子３３がプッシュプル回路（純コンプリメンタリＢ級プッシュプル回路）で構成されていることであり、駆動コイルに流れる電流極性を交互に変更することができる。スイッチ素子３３をプッシュプル回路にすることにより、高圧発生コイルから直流電圧が出力されるため、トランス３４の後段に整流回路３５を設ける必要がない。なお、本実施例では、高圧発生コイルの後段に短絡保護のための接続回路３５ａを設けている。
【００６５】
図４の構成との相違点３は、出力モニター回路３６にダイオードアレイ３６ａが接続されていることであり、このダイオードアレイ３６ａにより一方向の交番電圧を取り出すことができ、抵抗分割して出力モニター信号を生成し、ＣＰＵ３１の入力部３１ｄに入力している。
【００６６】
以上、説明したように、本実施例の高圧電源部３０は、ＣＰＵ３１が制御基板内にあるＣＰＵ２１から取得した情報により、１つの出力端子３７から、二次転写ニップ部に対する用紙の位置に応じた複数の出力波形の高圧を出力することができるため、紙分離性の向上と画像不良（画像散り）の抑制とを両立させることができ、様々な種類の用紙を利用できるようにすることができる。また、本実施例の高圧電源部３０は、高圧電源基板３０ａ内のＣＰＵ３１から制御信号を出力するため、信号の遅延を抑制することができ、高圧の出力を高速に切り替えることができると共に、ノイズによる誤動作を抑制することができる。
【００６７】
なお、本発明は上記実施例に限定されるものではなく、本発明の趣旨を逸脱しない限りにおいて、その構成や制御は適宜変更可能である。
【産業上の利用可能性】
【００６８】
本発明は、電子写真方式の画像形成に利用される高圧電源基板を備える画像形成装置、当該画像形成装置における紙分離方法、当該画像形成装置で動作する紙分離制御プログラム、当該紙分離制御プログラムを記録した記録媒体に利用可能である。
【符号の説明】
【００６９】
１０  画像形成装置
２０  制御部
２１  ＣＰＵ
２２  ＲＯＭ
２３  ＲＡＭ
２４  記憶部
２５  ネットワークＩ／Ｆ部
３０  高圧電源部
３０ａ  高圧電源基板
３１  ＣＰＵ
３１ａ  演算部
３１ｂ  記憶部
３１ｃ  出力部
３１ｄ  入力部
３２  駆動アンプ部
３３  スイッチ素子
３４  トランス
３５  整流回路
３５ａ  接続回路
３６  出力モニター回路
３６ａ  ダイオードアレイ
３７  出力端子
４０  表示操作部
５０  画像読取部
５１  自動原稿給紙装置
５２  原稿画像走査装置
６０  画像処理部
７０  搬送部
７１  給紙装置
７２  搬送機構
７３  排紙装置
８０  画像形成部
８１、８１Ｙ、８１Ｍ、８１Ｃ、８１Ｋ  露光装置
８２、８２Ｙ、８２Ｍ、８２Ｃ、８２Ｋ  現像装置
８３、８３Ｙ、８３Ｍ、８３Ｃ、８３Ｋ  感光体ドラム
８４、８４Ｙ、８４Ｍ、８４Ｃ、８４Ｋ  帯電装置
８５、８５Ｙ、８５Ｍ、８５Ｃ、８５Ｋ  クリーニング装置
８６、８６Ｙ、８６Ｍ、８６Ｃ、８６Ｋ  一次転写ローラ
８７  中間転写ユニット
８７ａ  中間転写ベルト
８７ｂ  支持ローラ
８７ｃ  二次転写ローラ
８７ｄ  除電針
８７ｅ  中間転写クリーニング部
８８  定着装置
８８ａ  加熱ローラ
８８ｂ  定着ローラ
８８ｃ  定着ベルト
８８ｄ  加圧ローラ
９０  薄紙
９１  厚紙
【図１】
2020118915.tif 000003
【図２】
2020118915.tif 000004
【図３】
2020118915.tif 000005
【図４】
2020118915.tif 000006
【図５】
2020118915.tif 000007
【図６】
2020118915.tif 000008
【図７】
2020118915.tif 000009
【図８】
2020118915.tif 000010
【図９】
2020118915.tif 000011
【図１０】
2020118915.tif 000012
【図１１】
2020118915.tif 000013
【図１２】
2020118915.tif 000014